(57)【要約】【課題】  ナビゲーションアルバムにおいて、旅行中に乗車していた車両や一緒に旅行したメンバーの情報が表示されるようにする。【解決手段】  画像合成表示手段７０により、ハードディスクＨＤに記憶させた旅行期間中に乗車していた車両の画像データを読み出し、経路データＲにおける現在地を示す車両シンボルＶに対して合成する。【選択図】  図５
2006038514.tif 000002
【特許請求の範囲】
【請求項１】
ナビゲーション装置により特定された移動経路の位置情報に、該移動経路を移動したときに撮影したデータを含むデジタル画像データをリンクさせて表示手段に表示させる電子アルバムを作成するナビゲーションアルバムシステムであって、
前記移動経路における現在地を前記表示手段上で示す現在地カーソルに対して任意のデジタル画像データを合成して表示する画像合成表示手段を備えていることを特徴とするナビゲーションアルバムシステム。
【請求項２】
請求項１に記載されたナビゲーションアルバムシステムにおいて、
前記画像合成表示手段は、前記現在地カーソルに合成すべき画像データとして、前記移動経路を移動する際に乗車していた車両の写真を合成するように構成されていることを特徴とするナビゲーションアルバムシステム。
【請求項３】
請求項１に記載されたナビゲーションアルバムシステムにおいて、
前記画像合成表示手段は、前記現在地カーソルに合成すべき画像データとして、前記移動経路を移動する際に同乗していた同乗者の写真を合成するように構成されていることを特徴とするナビゲーションアルバムシステム。
【請求項４】
請求項１に記載されたナビゲーションアルバムシステムにおいて、
前記画像合成表示手段は、前記現在地カーソルに合成すべき画像データとして、予めシステム内に用意された複数の車種イメージのうちユーザーが選択したものを合成するように構成されていることを特徴とするナビゲーションアルバムシステム。
【請求項５】
請求項１乃至４に記載されたナビゲーションアルバムシステムにおいて、
前記画像合成表示手段により前記現在地カーソルに合成されたデジタル画像データに関する補足情報をユーザーの指定により付加して表示可能な補足情報付加手段を備えていることを特徴とするナビゲーションアルバムシステム。
【発明の詳細な説明】
【技術分野】
【０００１】
本発明は、移動経路の位置情報にデジタル画像データをリンクさせた電子アルバムを作成可能なナビゲーションアルバムシステムに関し、特に該移動経路における現在地を示す現在地カーソルの表示技術に関する。
【背景技術】
【０００２】
近年、カーナビゲーションシステムの高性能化、低価格化が進んでおり、カーナビゲーションシステムを搭載する車両が増加している。カーナビゲーションシステムは、例えば特許文献１に記載されているように、目的地をセットしておくことにより走行すべき経路をディスプレイに表示することや、自家用車が走行した経路を保存し、その経路をディスプレイ上に表示することが可能である。
【０００３】
特許文献１では、目的地までの案内経路データや実際に走行した軌跡データに対して付加情報としての画像データや音声データ等を対応付けて記億し、案内経路データや軌跡データを表示装置に表示する際には、対応付けられた画像データや音楽データ等を出力するように構成されている。このナビゲーション装置は、位置検出器で検出した現在位置をマップマッチング処理によって地図上に表示し、目的地や経由地点が入力された場合には、経路探索動作を行って案内経路データを地図上に表示し、この案内経路を登録した場合にはユーザーの操作に応じて案内経路に関連した任意の画像データ等の付加情報を案内経路に対応付けて記憶し、このように記憶した付加情報を選択的に呼び出して表示できるように構成されている。
【０００４】
一方、近年、デジタルカメラの高性能化、低価格化が進んでおり、車両で観光地等に旅行する際にはデジタルカメラを携行して名所や旧跡等を撮影することや、これらを背景にしてスナップ写真を撮影することも多くなっている。そして、このように撮影した画像データをＣＤ−ＲやＤＶＤ−Ｒ等の記録メディアに保存して電子アルバムを作成し、コンピュータやテレビモニタ等に画像を表示させて楽しむといった使い方がなされている。
【０００５】
通常、電子アルバムは、デジタル画像データを単にサムネイル表示するか、又はスライドショー形式で画面に表示させるものが一般的であり、複数の観光地を周遊した場合に撮影した画像を後日見直したときに、いつどこで撮影した画像なのかを直ちに判別することが難しくなる等、旅行当時の思い出を想起する上で不利になることがあった。
【０００６】
そこで、本発明者は、ユーザーが容易に旅行当時の思い出を想起することができるように、前記カーナビゲーションシステムと電子アルバムとを融合させたナビゲーションアルバムを提案した。
【０００７】
具体的に、前記ナビゲーションアルバムは、電子アルバムを開くと、旅行当日にユーザーが車両で走行した走行経路データをそのまま画面上に表示し、画面上の所定の観光地を指定すると、通常のカーナビゲーションのように画面上の現在地を示すカーソル（車両シンボル）が旅行当時の走行経路に沿って移動し、ユーザーが訪れた観光ポイントに到着すると、その場所で撮影したデジタル画像データがサムネイル表示又はスライドショー表示されるように構成されたものである。
【０００８】
これにより、旅行当時に自家用車で走行した経路をそのまま画面上で辿って旅行気分を再現することができ、さらに各観光地で撮影したデジタル画像データは、現在地カーソルがナビゲーションアルバム画面上のその観光地に移動したときにはじめて表示されるようになっているから、旅行の出発日から最終日までの日程をその旅行した順番通りに忠実に追体験でき、容易に旅行気分を再現することができる。
【特許文献１】特開２００２−８１９５５号公報
【発明の開示】
【発明が解決しようとする課題】
【０００９】
前記ナビゲーションアルバムのように、旅行経路を再現してそれぞれの観光地で撮影した画像を表示するようにすると、ユーザーが旅行気分を再現する上で有利となるが、顧客満足度を高めるためにさらに改良すべき点がある。すなわち、ユーザーに旅行当時の思い出を容易に想起させるためには、旅行期間中に使用した車両の車種情報や一緒に旅行したメンバー構成情報等も前記ナビゲーションアルバムで目立つ状態で表示できるようにすることが望ましい。
【００１０】
本発明の目的は、ナビゲーションアルバムにおいて、旅行中に乗車していた車両や一緒に旅行したメンバーの情報が表示されるようにすることにある。
【課題を解決するための手段】
【００１１】
前記目的を達成するため、本発明では、旅行期間中の移動経路における現在地を示す現在地カーソルに画像データを合成するようにした。
【００１２】
すなわち、請求項１の発明は、ナビゲーション装置により特定された移動経路の位置情報に、該移動経路を移動したときに撮影したデータを含むデジタル画像データをリンクさせて表示手段に表示させる電子アルバムを作成するナビゲーションアルバムシステムであって、
前記移動経路における現在地を前記表示手段上で示す現在地カーソルに対して任意のデジタル画像データを合成して表示する画像合成表示手段を備えていることを特徴とする。
【００１３】
従って、本発明によれば、画像合成表示手段によって、任意のデジタル画像データが、ナビゲーション装置で特定された移動経路における現在地を表示手段上で示す現在地カーソルに合成される。
【００１４】
請求項２の発明は、請求項１に記載されたナビゲーションアルバムシステムにおいて、
前記画像合成表示手段は、前記現在地カーソルに合成すべき画像データとして、前記移動経路を移動する際に乗車していた車両の写真を合成するように構成されていることを特徴とする。
【００１５】
従って、本発明によれば、画像合成表示手段により、移動経路を移動する際に乗車していた車両の写真が現在地カーソルに合成される。
【００１６】
請求項３の発明は、請求項１に記載されたナビゲーションアルバムシステムにおいて、
前記画像合成表示手段は、前記現在地カーソルに合成すべき画像データとして、前記移動経路を移動する際に同乗していた同乗者の写真を合成するように構成されていることを特徴とする。
【００１７】
従って、本発明によれば、画像合成表示手段により、移動経路を移動する際に同乗していた同乗者の写真が現在地カーソルに合成される。
【００１８】
請求項４の発明は、請求項１に記載されたナビゲーションアルバムシステムにおいて、
前記画像合成表示手段は、前記現在地カーソルに合成すべき画像データとして、予めシステム内に用意された複数の車種イメージのうちユーザーが選択したものを合成するように構成されていることを特徴とする。
【００１９】
従って、本発明によれば、画像合成表示手段により、予めシステム内に用意されていた複数の車種イメージのうちユーザーが選択したものが現在地カーソルに合成される。
【００２０】
請求項５の発明は、請求項１乃至４に記載されたナビゲーションアルバムシステムにおいて、
前記画像合成表示手段により前記現在地カーソルに合成されたデジタル画像データに関する補足情報をユーザーの指定により付加して表示可能な補足情報付加手段を備えていることを特徴とする。
【００２１】
従って、本発明によれば、補足情報付加手段により、合成された画像データに関する補足情報がユーザーの指定により付加される。
【発明の効果】
【００２２】
以上のように、請求項１に係る発明によれば、表示手段上の現在地を示す現在地カーソルは矢印や丸印等の単純な形状で表示されているのが一般的であるが、ユーザーの好みの画像を該現在地カーソルに合成して表示することで見映えを向上させることができ、顧客満足度を高めることができる。
【００２３】
請求項２に係る発明によれば、旅行期間中に乗車していた車両の画像データを現在地カーソルに合成して表示するから、旅行中に運転していた車両で移動経路上を走行して各観光地を周遊するシミュレーションを行うことができ、アルバムを眺めるだけで実際の旅行ルートを実際の車両で走行しているような疑似体験をすることができる。このように、表示されている車両の画像を見ることで旅行当時の思い出が鮮明に想起されることとなり、高い満足度が得られる。
【００２４】
請求項３に係る発明によれば、旅行期間中に同乗していた同乗者の画像データを現在地カーソルに合成して表示するから、旅行当時に一緒に行動したメンバーの写真を見ることで当時の状況をより詳細に思い出すことができ、アルバム鑑賞をさらに楽しむことができる。
【００２５】
また、子供がまだ小さい頃に旅行した場合、前記現在地カーソルには小さい頃の画像が表示されることになるが、子供が大きくなった頃にこのナビゲーションアルバムを鑑賞すると、子供の成長ぶりを感じることができるとともに、即座に旅行当時の思い出を想起する上で有利な効果が得られる。
【００２６】
請求項４に係る発明によれば、予めシステム内に用意された複数の車種イメージのうちからユーザーが選択したものを現在地カーソルに合成するから、自動車のモデル（セダン、ワゴン等）や色を指定するだけでユーザーの意図する自動車を具体化することができ、見映えが向上するとともに顧客満足度を高めることができる。
【００２７】
請求項５に係る発明によれば、現在地カーソルに対して合成された画像データに関する補足情報の付加により、例えば、車両の画像が合成されている場合にはその車両の名称、メーカー名、年式等を補足情報として入力し、同乗者の画像が合成されている場合にはその同乗者の氏名、ユーザーとどのような関係であるか等の情報を入力しておき、ユーザーの指定により自由に表示できるようになっているから、画像だけではなくテキスト情報からも旅行当時の思い出を想起することができる。
【発明を実施するための最良の形態】
【００２８】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２９】
［システム構成］
図１は、本発明の実施形態に係るナビゲーションアルバムシステムの構成を示す図である。図１に示すように、このナビゲーションアルバムシステムは、アンテナユニットＡで受信したＧＰＳ衛星からの信号及び車両の走行駆動系に搭載した車速センサＳからの車速パルス信号を入力するシステム本体Ｂと、地図データや画像データを表示するディスプレイＣと、必要な情報を入力する複数のスイッチ１と、音声情報を出力するスピーカ２と、リモートコントローラ３からの赤外線信号を受信する赤外線センサ４と、画像データにアクセスするための入出力ターミナル５と、ドライブユニットＥとを備えている。
【００３０】
このナビゲーションアルバムシステムは、自家用車等の車両に備えられるものであり、ＧＰＳ衛星からの信号と車速センサＳからの車速パルス信号とに基づき車両の走行時においても、その車両が存在する経度・緯度をリアルタイムで取得して対応する地図データを設定された拡大率でディスプレイＣに表示し、その地図データ上に車両が存在する位置をシンボル等で表示する機能を備えている。さらに、目的とするポイントを指定することにより、そのポイントに至るまでに走行すべき経路を抽出し、案内（ナビゲーション）する機能を備えている。
【００３１】
前記ディスプレイＣは、液晶表示部６と、接触操作位置を検出するタッチパネル部７とを備えて構成されている。前記複数のスイッチ１はナビゲーションアルバムシステムのＯＮ又はＯＦＦを含め、表示モードの切り替え等の処理を実現する。前記リモートコントローラ３はシステム本体Ｂから離間した位置から必要とする操作を実現する。前記スピーカ２は人の言葉による案内を行うために用いられると共に、後述する音楽データの再生のために用いられる。
【００３２】
前記ドライブユニットＥ（画像データ入力手段の一例）は、デジタルカメラＣａｍで撮影された画像データが保存されたフラッシュメモリ等の半導体メディアＭｓからのデータを取得する（読み出す）半導体ドライブ８と、ＣＤ−ＲやＤＶＤ−Ｒ等の複数種類の大容量のディスク状メディアＭｄからのデータの取得及び書き込みを可能にするディスクドライブ９とを備えている。なお、半導体ドライブ８は、コンパクトフラッシュ（登録商標）やスマートメディア（登録商標）やメモリースティック（登録商標）等のフラッシュメモリの種類に対応できるように複数の挿入部を備えていることが好ましい。
【００３３】
また、前記入出力ターミナル５（画像データ入力手段の一例）は、デジタルカメラＣａｍとの間に配置されるＵＳＢ（Universal Serial Bus）規格やＩＥＥＥ１３９４規格等のケーブルＸを介して、このデジタルカメラＣａｍに保存されている画像データを取得するために機能するものである。なお、本発明では、無線によってデジタルカメラＣａｍの画像データを取得するものを除外するものではなく、画像データ入力手段としてBluetooth（ブルートゥース）のように無線を利用して画像データを送るようにしてもよい。
【００３４】
図２は、このナビゲーションアルバムシステムの構成を示すブロック図である。図２に示すように、前記システム本体Ｂは、マイクロプロセッサへの情報のアクセスを実現する入出力インタフェースＩ／Ｏを備えており、この入出力インタフェースＩ／Ｏに対して位置取得手段Ｐ、前記液晶表示部６、前記タッチパネル部７、前記複数のスイッチ１、前記スピーカ２、前記赤外線センサ４、前記入出力ターミナル５、前記半導体ドライブ８、前記ディスクドライブ９、及びハードディスクＨＤそれぞれからのデータがアクセスする信号系を形成している。
【００３５】
前記位置検出手段Ｐは、前記アンテナユニットＡで受信したＧＰＳ衛星からの電波を取り込むと同時に、前記車速センサＳからの車速パルス信号を取り込むことによりリアルタイムで車両の位置データ（経度・緯度のデータ）を取得するものである。
【００３６】
前記ハードディスクＨＤは、画像データを目的地毎にグループ化して記憶するとともに、車両が走行した経路データを記憶するものである。また、このハードディスクＨＤは地図データを保存する地図データ保存部としての地図データベース、及び、音楽データを保存する音楽データベースとして機能するものである。前記目的地は車両の走行開始以前に設定するものの他に、走行を終えた後に設定するものであってもよい。なお、ハードディスクＨＤの代わりに半導体メモリを用いて構成することも可能である。
【００３７】
前記処理装置Ｄは、マイクロプロセッサからのデータバスに接続する半導体メモリＲＡＭ／ＲＯＭ、不揮発性メモリＥＥＰＲＯＭ、マップマッチング手段１１、ナビゲーション手段１２、画像記憶処理手段１３、経路記憶処理手段１４、リンクデータ生成手段１５、出力手段１６、保存処理手段１７、日付情報読取手段１８、判定手段１９、経路表示手段２０、画像合成表示手段７０、及び補足情報付加手段７１を備えている。
【００３８】
なお、この処理装置Ｄにおいて制御を実現するためには、データバスの他にコントロールバスやアドレスバス等を必要とするものであるが、複雑化を避ける目的から図面にはコントロールバス、アドレスバス、及びインタフェース類の記載を省略している。
【００３９】
前記マップマッチング手段１１は、前記位置取得手段Ｐからの位置データに対応する地図データを前記ハードディスクＨＤに保存された地図データベースから抽出して、ディスプレイＣに対して予め設定された拡大率で表示する処理を行う。
【００４０】
前記ナビゲーション手段１２は、予め設定された目的地に至る経路を前記地図データから抽出してディスプレイＣに表示された地図データ上にライン状に表示する。
【００４１】
前記画像記憶処理手段１３は、前記半導体ドライブ８、ディスクドライブ９、又は入出力ターミナル５を介して取得した画像データを前記ハードディスクＨＤに保存する処理を行うものである。
【００４２】
前記経路記憶処理手段１４は、車両が走行した経路に対応する経路データＲ（図１３を参照）を前記ハードディスクＨＤに保存する処理を行うものである。この経路データＲはサンプリングタイミング毎の車両の座標を示すデータを保存した構造のファイルを想定しているが、基点となる複数の座標と、その座標毎において設定された走行方向と走行速度とをベクトルデータ化した構造であってもよい。また、この経路記憶処理手段１４で保存した経路データＲをディスプレイＣに表示した場合には、図１３において破線で示す経路が経路データＲとなり、この経路データＲ上に車両シンボルＶが示され、この経路データＲ上に複数の観光地Ｐ１，Ｐ２，Ｐ３・・・が示される。
【００４３】
前記リンクデータ生成手段１５は、図８に示す画像編集画面３１をディスプレイＣに表示した状態で、経路データＲ上に設定した観光地Ｐ１，Ｐ２，・・・毎に画像データの関連付けを行い、生成したリンクデータをファイル形式で保存する処理を行うものであり、この保存の際の順序で画像データが表示される。前記出力手段１６は、後述するように経路データＲと関連付けられた画像データをディスプレイＣに表示する処理を行うものである。
【００４４】
また、前記保存処理手段１７は、選択した経路データＲと、その経路データＲに関連付けられた複数の画像データと、経路データに対応する地図データと、関連付けられた音楽データが存在する場合にはその音楽データと、プログラムとして構成された出力手段１６とをディスク状メディアＭｄ等の記憶メディアに保存する処理を行うものである。
【００４５】
前記日付情報読取手段１８は、前記半導体ドライブ８、ディスクドライブ９、又は入出力ターミナル５を介して取得した画像データに付加されているＥｘｉｆ情報から撮影日時を示す情報を読み取り、その画像データの撮影日時を特定するものである。
【００４６】
前記判定手段１９は、前記日付情報読取手段１８で読み取った複数の画像データの撮影日時情報のうち、最も古い日を出発日、最も新しい日を最終日と判定して旅行期間を特定するものである。
【００４７】
前記経路表示手段２０は、前記判定手段１９の判定結果に基づいて、その旅行期間内に走行した経路データＲをハードディスクＨＤから読み出してディスプレイＣに表示するものである。
【００４８】
前記画像合成表示手段７０は、図１３に示す車両シンボルＶに対して、旅行期間中に乗車した車両の画像データや一緒に旅行したメンバーの画像データを合成するものである。
【００４９】
前記補足情報付加手段７１は、前記画像合成表示手段７０により車両シンボルＶに合成された画像データに関する補足情報をユーザーの指定により付加して表示可能とするものである。
【００５０】
なお、前記マップマッチング手段１１、ナビゲーション手段１２、画像記憶処理手段１３、経路記憶処理手段１４、リンクデータ生成手段１５、出力手段１６、日付情報読取手段１８、判定手段１９、経路表示手段２０、画像合成表示手段７０、及び補足情報付加手段７１は半導体メモリＲＡＭ上に展開したソフトウェア（プログラム）を想定しているが、一部又は全てをロジック等のハードウェアで構成することも可能である。
【００５１】
［経路データＲの特定］
次に、本発明の実施形態に係るナビゲーションアルバムシステムにおける旅行期間内に走行した経路データを特定する手順について説明する。図３に示すように、ステップＳ１０１で、半導体メディアＭｓやディスク状メディアＭｄ等の記憶メディアに記憶されている画像データを、前記半導体ドライブ８、ディスクドライブ９、又は入出力ターミナル５を介してハードディスクＨＤに入力する。
【００５２】
なお、本実施形態では、ユーザーが撮影に使用していた記憶メディアのみから画像データを読み取るようにしているが、これに限定されず、例えば、一緒に旅行していた他のメンバーが各々撮影に使用していた記憶メディアからも画像データを読み取って、ハードディスクＨＤに追加入力するようにしても構わない。また、他のメンバーの記憶メディアのみから画像データをハードディスクＨＤに入力するようにしても構わないのはもちろんである。
【００５３】
次に、ステップＳ１０２で、前記ハードディスクＨＤに入力した複数の画像データの中から、ユーザーがアルバムに載せる必要はないと判断した画像データを選択して削除する。
【００５４】
そして、ステップＳ１０３で、入力されたデジタル画像データに撮影日時情報を含むＥｘｉｆ情報が付加されているかを判定する。ステップＳ１０３での判定が「ＹＥＳ」の場合には、ステップＳ１０４に分岐する。
【００５５】
ステップＳ１０４で、前記日付情報読取手段１８により、Ｅｘｉｆ情報から撮影日時を示す情報を読み取り、その画像データの撮影日時を特定してステップＳ１０５に進む。ステップＳ１０５で、前記判定手段１９により、前記日付情報読取手段１８で読み取った複数の画像データの撮影日時のうち最も古い日を出発日、最も新しい日を最終日と判定して旅行期間を特定する。
【００５６】
そして、ステップＳ１０６で、前記経路表示手段２０により、前記判定手段１９で特定された旅行期間内に車両が走行した経路データＲをハードディスクＨＤから読み出してディスプレイＣに表示することで、ナビゲーションアルバムの作成のための経路データＲの特定が完了する。
【００５７】
一方、ステップＳ１０３での判定が「ＮＯ」の場合には、ステップＳ１０７に分岐し、ステップＳ１０７で、ディスプレイＣに旅行期間の日付入力をユーザーに促す日付入力画面を表示する。そして、ステップＳ１０８で日付入力が終わるまで待機する。日付入力が終了するとステップＳ１０５に分岐する。
【００５８】
以上のように、デジタル画像データに撮影日時情報を含むＥｘｉｆ情報が付加されていた場合には、ユーザーはデジタル画像データを本ナビゲーションアルバムシステムに入力するだけで、旅行期間の日付をわざわざ入力指定しなくても自動的に旅行期間内に走行した経路データＲを特定することができる。そのため、ナビゲーションアルバムを作成する上でユーザーの作業負担が軽減されることになる。
【００５９】
また、デジタル画像データに撮影日時を含むＥｘｉｆ情報が付加されていない場合でも、ディスプレイＣに旅行期間の日付入力をユーザーに促す日付入力画面が表示されるから、日付入力漏れを防止する上で有利である。
【００６０】
［経路データＲの補正］
このように、出発日と最終日との日付情報のみに基づいて旅行期間を特定すると、例えば、旅行当日の旅行出発前に近所のスーパーに買い物に行ったときの経路のように、旅行行程とは直接関係のない経路データまで読み出してしまう場合がある。
【００６１】
このような問題を解消するため、本実施形態のナビゲーションアルバムシステムは、図４に示すように、ディスプレイＣに表示された経路データＲをユーザーが任意に補正する経路補正機能を有している。
【００６２】
まず、図４（ａ）に示すように、上述した方法で特定された旅行期間中の経路データＲがディスプレイＣに表示される。ここで、出発位置Ｓｔからスーパーに向かって寄り道している経路が存在しているため、この経路を経路データＲ上から削除したい場合には、新たな出発位置Ｓｔをタッチパネルやリモートコントローラ等の外部入力手段により指定して、出発位置Ｓｔの再設定を行う。なお、図４（ａ）では出発位置Ｓｔのみを補正しているが、到着位置Ｇについても同様に補正するようにして構わない。
【００６３】
そして、経路データＲの再設定が終了すると、図４（ｂ）に示すように、経路データＲの出発位置Ｓｔが先ほど指定した位置に変更され、スーパーに寄り道したときの経路を削除してユーザーの希望通りの経路データＲを作成することができる。
【００６４】
［車両シンボルＶと画像データとの合成］
図４に示すように、車両シンボルＶは、矢印や丸印等の単純な形状で表現されているのが一般的である。顧客満足度を高めるためには、見映えを向上させるために車両シンボルＶに画像データを合成することが好ましい。以下、車両シンボルＶに対して画像データを合成する処理について説明する。
【００６５】
まず、旅行期間中に乗車していた車両をデジタルカメラで撮影して、この車両を撮影したデジタル画像データを、前記半導体ドライブ８、ディスクドライブ９、又は入出力ターミナル５を介してハードディスクＨＤに入力する。
【００６６】
次に、画像合成表示手段７０により、前記ハードディスクＨＤに記憶されている車両の画像データを読み出し、前記車両シンボルＶに対して合成する。このような処理を行うことにより、図４に示す車両シンボルＶを表す矢印記号が、図５に示すような車両の画像に変更される。
【００６７】
以上のように、旅行期間中に乗車していた車両の画像データを車両シンボルＶに合成して表示するから、旅行中に運転していた車両で経路データＲ上を走行して各観光地Ｐ１〜Ｐ３を周遊するシミュレーションを行うことができ、アルバムを眺めるだけで実際の旅行ルートを実際の車両で走行しているような疑似体験をすることができる。このように、表示されている車両の画像を見ることで旅行当時の思い出が鮮明に想起されることとなり、高い満足度が得られる。
【００６８】
また、このナビゲーションアルバムシステムにおいて、自動車のキャラクターをアルバム作成時にユーザーが選択する形態としてもよい。この場合は、予め用意された複数の自動車のモデル（セダン、ワゴン等）に対して、色を指定することでユーザーの意図する自動車を具体化することができ、これを車両シンボルＶとして使用することができる。
【００６９】
さらに、前記補足情報付加手段７１により、前記車両シンボルＶに合成された車両の画像に関する補足情報を付加することもできる。具体的に、この補足情報としては、その車両の名称、メーカー名、年式、購入時期等、様々な情報が考えられる。この補足情報は、ユーザーが車両シンボルＶをタッチパネル等で指定することにより表示されるようになっている。このように、画像だけではなくテキスト情報からも旅行当時の思い出を想起することができるようになっている。
【００７０】
なお、前記車両の画像データは、デジタルカメラで実際に撮影したものを使用したが、これに限らず、例えば、インターネットで自動車メーカーのホームページ等からダウンロードした車両の画像データを使用するようにしても構わない。
【００７１】
また、前記車両シンボルＶには、前記車両の画像の他にも、旅行期間中に車両に同乗していた同乗者の画像データを合成することもできる。まず、この同乗者をデジタルカメラで撮影して、この撮影したデジタル画像データを、前記半導体ドライブ８、ディスクドライブ９、又は入出力ターミナル５を介してハードディスクＨＤに入力する。
【００７２】
次に、画像合成表示手段７０により、前記ハードディスクＨＤに記憶されている同乗者の画像データを読み出し、前記車両シンボルＶに対して合成する。このような処理を行うことにより、図４に示す車両シンボルＶを表す矢印記号が、図６に示すような同乗者の画像に変更される。
【００７３】
以上のように、旅行期間中に車両に同乗していた同乗者の画像データを車両シンボルＶに合成して表示するから、旅行当時に一緒に行動していたメンバーが経路データＲ上を移動して各観光地Ｐ１〜Ｐ３を周遊するシミュレーションを行うことができ、旅行当時の状況をより詳細に思い出すことができ、アルバム鑑賞をさらに楽しむことができる。
【００７４】
また、前記補足情報付加手段７１により、前記車両シンボルＶに合成された同乗者の画像に関する補足情報を付加することもできる。具体的に、この補足情報としては、その同乗者の氏名、性別、ユーザーとどのような関係であるか等、様々な情報が考えられる。この補足情報は、ユーザーが車両シンボルＶをタッチパネル等で指定することにより表示されるようになっている。このように、画像だけではなくテキスト情報からも旅行当時の思い出を想起することができるようになっている。
【００７５】
［画像データと観光地との関連付け］
旅行においてデジタルカメラＣａｍで撮影したスナップ写真等とその写真を撮影した観光地情報とを関連付ける場合には、旅行を終えて自宅に戻った後に、図７に示す処理メニュー２８をディスプレイＣに表示して「画像データの取得」ボタン２１を操作することになる。なお、この処理メニュー２８には、「画像データの取得」ボタン２１の他に「再生処理（実走行モード）」ボタン２２と、「再生処理（リプレイモード）」ボタン２３と、「メディアに保存」ボタン２４と、「ＯＫ」ボタン２５とが表示される。
【００７６】
この「画像データの取得」ボタン２１を操作し、「ＯＫ」ボタン２５を操作した場合には、まず、図９のフローチャート図に示す関連付け処理が実行される。
【００７７】
前記関連付け処理では、ステップＳ２０１で、前記半導体ドライブ８等を介して取得した複数の画像データのうち１つを図８に示す画像取得画面２７に表示する。ステップＳ２０２で、画像取得画面２７よりも下側位置に、ハードディスクＨＤに記録されている観光地情報のタイトル（図８では“ＵＳＪ”や“海遊館”）の候補を一覧表示する。
【００７８】
前記観光地タイトルは、画像取得画面２７に表示された画像データに付加されているＥｘｉｆ情報から撮影日時を特定し、この撮影日時に車両を停車していた位置情報を前記経路記憶処理手段１４に記憶されている経路データＲから読み出すことで、その位置における最寄りの観光地タイトルの候補を一覧表示するようにしている。そして、スクロールカーソル２６を操作することにより、全ての観光地タイトルの候補を確認することができるようになっている。
【００７９】
そして、ステップＳ２０３で、画像取得画面２７に表示された画像データが、観光地タイトルに関連付ける必要があるかを判定する。ステップＳ２０３での判定が「ＹＥＳ」の場合には、ステップＳ２０４に分岐して、ステップＳ２０４で、画像取得画面２７に表示されている画像データを撮影した観光地のタイトルを選択した状態で「登録」ボタン２９を操作する。これにより、画像取得画面２７に表示された画像データと、撮影場所の観光地タイトルとの関連付けが終了し、ステップＳ２０５に進む。
【００８０】
ステップＳ２０３での判定が「ＮＯ」の場合（写真写りが悪かったり同じようなアングルの写真が何枚もある等の理由による）には、「キャンセル」ボタン３０を操作することで、観光地タイトルに画像データを関連付けることなくステップＳ２０５に分岐する。
【００８１】
ステップＳ２０５で、次の画像データが存在するかを判定し、ステップＳ２０５での判定が「ＹＥＳ」の場合には、ステップＳ２０１に分岐して、次の画像データが画像取得画面２７に表示される。ステップＳ２０５での判定が「ＮＯ」の場合には、画像データと観光地タイトルとの関連付け作業を終了する。
【００８２】
次に、ディスプレイＣに図１０に示す画像編集画面３１が表示される。この画像編集画面３１では、先ほど観光地タイトルに関連付けた画像データが１枚ずつ表示される。画像編集画面３１の下側位置にはタイトルバー３２が表示され、このタイトルバー３２の左端には画像データと関連付けられた観光地タイトル（図１０では“ＵＳＪ”）が表示され、タイトルバー３２の中央右寄り位置には画像データのＥｘｉｆ情報から取得した撮影日時が表示されている。
【００８３】
そして、タイトルバー３２の右端には、その観光地毎に予め登録されている観光地にちなんだ画像がはめ込み合成されるようになっており、複数の画像の中からユーザーの好みに合わせて選択して切り替えることができるようになっている。
【００８４】
また、画面右上にはサブ画像表示画面３３が表示されており、観光地の位置情報が地図データとして表示されている。なお、このサブ画像表示画面３３は、表示されている画像データとオーバーラップして表示されているため、画像データが見づらい等の場合には非表示に設定することもできる。
【００８５】
次の処理では、ディスプレイＣに対して図１１に示すＢＧＭセット画面４０を表示し、ユーザーが必要とした場合には、「ＹＥＳ」ボタン４１を操作し、不要であると判断した場合には「ＮＯ」ボタン４２を操作し、「ＹＥＳ」ボタン４１を操作した場合には、前記音楽データベースに保存された曲名を曲名表示部４３に一覧化して表示し、試聴する場合には「試聴」ボタン４４を操作することにより前記スピーカ２で音楽の試聴を行え、音楽の選択を終えた場合に「ＯＫ」ボタン４５を操作することにより、その音楽データが、ＢＧＭとして１つの経路データＲに対してセットして次の処理に移行する。なお、このように音楽データをセットする場合、観光地タイトル毎に異なる音楽データをセットするようにしてもよい。さらに、例えば、ＵＳＪ内のジョーズのアトラクションにおいて撮影した画像データに対して映画“ジョーズ”で使用されていたＢＧＭを流すように設定する等、より詳細な音楽データの設定を行っても構わない。
【００８６】
次の処理では、ディスプレイＣにタイトル入力画面（図示せず）を表示する。タイトル入力作業は、先ほど選択した観光地タイトルがそのまま入力されるためユーザーがわざわざ作業する必要がない。ユーザーが任意のタイトルに修正したい場合には、このタイトル入力画面に表示されたキーボードを用いて必要とする文字を入力することができる。
【００８７】
［ナビゲーションアルバムの起動］
このように、画像データと観光地情報との関連付けが全て完了した後で、前記処理メニュー２８から「メディアに保存」ボタン２４を操作することにより、前記保存処理手段１７によってディスク状メディアＭｄに保存する処理が実行され、ナビゲーションアルバムが作成される。
【００８８】
前記ナビゲーションアルバムは、一般家庭のコンピュータにセットすることにより、図１２に示すタイトルメニュー画面５０が表示される。このタイトルメニュー画面５０には、アルバムのタイトルを示すタイトル表示部５０Ａ、旅行の日付を示す日付表示部５０Ｂが表示されていつどこに旅行したときの電子アルバムであるかが判別できるようになっている。さらに、ナビスライド５１、Ｍａｐスライド５２、スライドショー５３の３つのメニューが表示されており、後述するように、３つのメニューはそれぞれ画像の表示方式に違いがある。
【００８９】
前記ナビスライドメニュー５１を選択すると、図１３に示すように、地図表示画面６０に切り替わる。この地図表示画面６０には、タイムラインバー６１と複数の再生制御ボタン６２とが表示されており、再生制御ボタン６２のうちの再生ボタンを操作することやタイムラインバー６１を操作することにより、経路データＲ上に車両シンボルＶが移動する状態が時間を短縮した状態で（シミュレーションした状態で）表示される。
【００９０】
そして、車両シンボルＶが出発位置Ｓｔを出発して経路データＲ上を走行し、最初の観光地Ｐ１に到着すると、その観光地Ｐ１に関連付けて登録されていた画像データが、図１０に示すような表示形式で、予め設定された順序であって設定されたインターバルで表示されるようになっている。
【００９１】
前記観光地Ｐ１に登録されている画像データを全て見終わった後、再び地図表示画面６０に切り替わり、車両シンボルＶが次の観光地Ｐ２に向けて走行する。このように、全ての観光地Ｐ１〜Ｐ３を車両シンボルＶが走行して到着位置Ｇに到着するまでの間に、各々の観光地Ｐ１〜Ｐ３で登録されていた画像データを時系列に沿って楽しむことができる。
【００９２】
なお、経路データＲの途中に有名な観光地がある場合には、その観光地情報がハードディスクＨＤに登録されていれば、車両シンボルＶが有名観光地付近を走行したときにその観光地情報を表示するようにしても構わない。
【００９３】
また、前記Ｍａｐスライドメニュー５２を選択すると、前記ナビスライドメニュー５１のときと同様、地図表示画面６０が表示される。ここで、登録されている観光地Ｐ１〜Ｐ３のうち１つを選択することにより、その選択した観光地に関連付けられている画像データのみが、予め設定された順序で、設定されたインターバルで表示されるようになっている。これにより、ユーザーが見たい観光地の画像データを素早く表示させることができる。
【００９４】
なお、Ｍａｐスライドメニュー５２では、前記ナビスライド５１のように地図表示画面６０を表示させず、登録されている観光地タイトルの一覧を表示してそのタイトル情報を選択することで画像データを表示させるようにしても構わない。
【００９５】
そして、前記スライドショーメニュー５３を選択すると、このナビゲーションアルバムに記憶されている画像データが、予め設定された順序で、設定されたインターバルで表示されるようになっている。
【００９６】
また、タイトルメニュー画面５０には、「設定」ボタン５４が表示されており、この「設定」ボタン５４を操作することにより、例えば音声データの切り替え等、種々の設定を行うことができるようになっている。
【００９７】
［その他の画像データ表示方法］
本実施形態のナビゲーションアルバムシステムは、主にディスク状メディアＭｄ等にナビゲーションアルバムを作成して一般家庭のコンピュータ等で鑑賞することを目的とするものであるが、その他にもディスプレイＣ上で画像データを鑑賞することができる。
【００９８】
つまり、図７に示すように、ディスプレイＣに処理メニュー２８を表示し、この処理メニュー２８の「再生処理（実走行モード）」ボタン２２を操作した場合には、観光地タイトルを一覧化して選択画面（図示せず）が表示され、再生すべきアルバムタイトルを選択して「ＯＫ」ボタンを操作することにより、そのタイトルに対応した経路データＲが指定され、実走行モード画面がディスプレイＣに表示される。
【００９９】
そして、図１３に示すように車両の走行により車両シンボルＶが経路データＲ上の観光地Ｐ１に近接すると、地図データの一部の領域に重なる状態で新たにウィンドウを開き、その観光地Ｐ１に関連付けられた複数の画像データが、予め設定された順序で、設定されたインターバルで表示され、音楽データが関連付けられている場合には、その音楽データを再生する。
【０１００】
また、ディスプレイＣに表示された処理メニュー２８の「再生処理（リプレイモード）」ボタン２３を操作した場合には、前述と同様に選択画面が表示され、再生すべきアルバムタイトルを選択して「ＯＫ」ボタンを操作することにより、そのタイトルに対応した経路データＲが指定され、リプレイモード画面がディスプレイＣに表示される。
【０１０１】
このリプレイモード画面は、図１３における地図表示画面６０と同様のものであり、ディスプレイＣ上でナビゲーションアルバムの動作をシミュレーションすることができるため、ディスク状メディアＭｄにナビゲーションアルバムのデータを保存する前のプレビュー画面として有効である。
【０１０２】
以上のように、実走行モードを選択した場合には、経路データＲ上において設定された観光地Ｐ１に車両が近接した際に、その観光地Ｐ１に関連付けられた画像データがディスプレイＣに表示されるため、過去に訪れた観光地Ｐ１で撮影した画像データを同乗者が観賞できるものとなる。この場合、車両は経路データＲ上を走行する必要はなく、観光地Ｐ１に近接する毎に複数の画像データが自動的に表示されるのである。
【０１０３】
また、リプレイモードを選択した場合には、車両を停車させた状態でもディスプレイＣに表示された地図データに経路データＲを表示し、この経路データＲ上に車両シンボルＶを移動させて表示し、車両シンボルＶが観光地Ｐ１に接近すると、その観光地Ｐ１に設定された複数の画像データを自動的に表示するので、例えば、旅行で撮影した画像データを観光地毎に表示できるものとなっている。
【０１０４】
なお、本実施形態では、位置取得手段としてＧＰＳ衛星からの信号を用いるように構成していたが、この位置取得手段は、例えばＰＨＳ型の携帯電話機で実現されている位置取得方法と同様に、地上に設置された複数の電波の発信源からの電波を受信することにより、これらの発信源を基準にして車両の位置を取得するものであってもよい。
【産業上の利用可能性】
【０１０５】
以上説明したように、本発明は、ナビゲーションアルバムにおいて、旅行中に乗車していた車両や一緒に旅行したメンバーの情報が表示されるという実用性の高い効果が得られることから、きわめて有用で産業上の利用可能性は高い。
【図面の簡単な説明】
【０１０６】
【図１】本発明の実施形態に係るナビゲーションアルバムシステムの構成を示す図である。
【図２】本実施形態に係るナビゲーションアルバムシステムの構成を示すブロック図である。
【図３】本実施形態に係るナビゲーションアルバムシステムにおける経路データを特定する手順を示すフローチャート図である。
【図４】本ナビゲーションアルバムシステムにおける特定された経路データを補正する手順を説明する図である。
【図５】本ナビゲーションアルバムシステムにおける車両シンボルに車両の画像を合成した状態を示す図である。
【図６】本ナビゲーションアルバムシステムにおける車両シンボルに同乗者の画像を合成した状態を示す図である。
【図７】処理メニューを示す図である。
【図８】関連付け処理を行うメニュー画面を示す図である。
【図９】関連付け処理のフローチャート図である。
【図１０】アルバム表示された画像データを示す図である。
【図１１】ＢＧＭセット画面を示す図である。
【図１２】ナビゲーションアルバムのタイトルメニューを示す図である。
【図１３】地図表示画面を示す図である。
【符号の説明】
【０１０７】
７０    画像合成表示手段
７１    補足情報付加手段
Ｂ    システム本体
Ｃ    ディスプレイ（表示手段）
Ｃａｍ  デジタルカメラ
Ｄ    処理手段
Ｅ    ドライブユニット
ＨＤ    ハードディスク
Ｐ    位置検出手段（ナビゲーション装置）
Ｖ    車両シンボル
【図１】
2006038514.tif 000003
【図２】
2006038514.tif 000004
【図３】
2006038514.tif 000005
【図４】
2006038514.tif 000006
【図５】
2006038514.tif 000007
【図６】
2006038514.tif 000008
【図７】
2006038514.tif 000009
【図８】
2006038514.tif 000010
【図９】
2006038514.tif 000011
【図１０】
2006038514.tif 000012
【図１１】
2006038514.tif 000013
【図１２】
2006038514.tif 000014
【図１３】
2006038514.tif 000015